(57)【要約】【課題】リセプタクルコネクタとプラグコネクタとの嵌合を、容易かつ確実に行うことのできる電気コネクタ組立体を提供することを目的とする。【解決手段】一端部４０ａ側においてプラグハウジング３１の側面に設けられた支軸４１に回動自在に連結されたレバー４０を、他端部４０ｂに向けて延びる延伸部４２が、レバー４０を倒して係合状態としたときにプラグハウジング３１の両側の側面に沿うよう形成し、レバー４０の他端部４０ｂには、下方に向けて延びるブロック状の突出部６０を設けた。これにより、レバー４０を、延伸部４２と突出部６０とが他端部４０ｂを介して略Ｌ字状をなすようにした。そして、突出部６０の変形片６１を、プラグハウジング３１の長手方向に沿って配索される電線の側方に設けた。【選択図】図２
2010123395.tif 000002
【特許請求の範囲】
【請求項１】
ハウジングと、
前記ハウジングに保持されるコンタクトと、
前記ハウジングの一面側に設けられ、一端部が前記ハウジングに支軸を介して回動自在に連結され、他端部に向けて前記ハウジングの長手方向に沿って延びる延伸部を有したレバーと、を備え、
前記レバーは、前記レバーの他端部に前記ハウジングの他面側に向けて突出する突出部が設けられるとともに、前記延伸部と前記突出部とが前記他端部を介して略Ｌ字状となっていることを特徴とする電気コネクタ。
【請求項２】
電気コネクタ組立体であって、
第一のハウジングと、
前記第一のハウジングに嵌合する第二のハウジングと、
前記第一のハウジングに保持される第一のコンタクトと、
前記第二のハウジングに保持され、前記第一のコンタクトに接続される第二のコンタクトと、を備え、
前記第一のハウジングは、前記第二のハウジングを受容する空間を形成するフードを備え、
前記第二のハウジングの一面側に、前記フード内への前記第二のハウジングの挿入力を軽減するため、一端部が前記第二のハウジングに支軸を介して回動自在に連結され、他端部に向けて前記第二のハウジングの長手方向に沿って延びる延伸部を有したレバーを備え、前記レバーは、前記レバーの他端部に、前記第二のハウジングの他面側に向けて突出する突出部が設けられるとともに、前記延伸部と前記突出部とが前記他端部を介して略Ｌ字状とされ、
前記レバーには、前記第二のハウジングを前記第一のハウジングの前記フード内に挿入した状態で、前記第二のハウジングの短手方向の一方の端部に、前記フードの内部において前記レバーを前記第一のハウジングに係合する係合部が設けられていることを特徴とする電気コネクタ組立体。
【請求項３】
前記係合部は、前記第二のハウジングの長手方向または短手方向に変形可能な変形片と、前記変形片に形成され、前記フードに係合される係合爪と、を備えることを特徴とする請求項２に記載の電気コネクタ組立体。
【請求項４】
前記第二のハウジングに保持された前記第二のコンタクトに接続される前記電線が、前記第二のハウジングの長手方向に沿って配索されていることを特徴とする請求項２に記載の電気コネクタ組立体。
【請求項５】
前記第二のハウジングまたは前記レバーのいずれか一方に、前記第二のハウジングと前記レバーの間に前記電線が入り込むのを防止する凸部が設けられていることを特徴とする請求項２に記載の電気コネクタ組立体。
【請求項６】
前記凸部に、前記レバーを前記第二のハウジングに係合させるレバー係合部が設けられていることを特徴とする請求項５に記載の電気コネクタ組立体。
【請求項７】
前記レバーは、前記係合部が前記フードに係合する状態と、前記レバー係合部が前記第二のハウジングに係合する状態とで、前記第二のハウジングに対する傾斜角度が互いに異なることを特徴とする請求項６に記載の電気コネクタ組立体。
【発明の詳細な説明】
【技術分野】
【０００１】
本発明は、一方のコネクタを保持したプラグハウジングを有するプラグコネクタと、他方のコネクタを保持し、プラグハウジングを受容するリセプタクルコネクタとからなる電気コネクタ組立体およびその一方の電気コネクタに関する。
【背景技術】
【０００２】
従来から、プリント配線基板等の回路基板（以下、単に基板という）に実装され、基板と他の電気回路とを接続する電気コネクタ（以下、単にコネクタという）が広く使われている。このコネクタは、コンタクトと、このコンタクトを保持するハウジングとを主たる構成要素としている。コネクタには、雌型のリセプタクルコネクタと雄型のプラグコネクタとが存在する。リセプタクルコネクタは、筒状のフードを有しており、このフード内に複数のコンタクトが配置されている。プラグコネクタは、フード内に挿入されるハウジングを有しており、このハウジングに、リセプタクルコネクタのコンタクトに嵌合するコンタクトが設けられている。
【０００３】
リセプタクルコネクタにプラグコネクタを嵌合する際のリセプタクルコネクタへのプラグコネクタの挿入力を低減するために、レバー付きのコネクタが従来より提供されている（例えば、特許文献１参照。）。
レバー付きのコネクタは、プラグコネクタに対し、レバーが回動自在に設けられている。レバーの先端側（支点から離れた側）の力点部を作業者が手で回動操作することで、レバーの支点近傍に設けられた作用点部から、リセプタクルコネクタとプラグコネクタとの間に、双方を互いに接近または離間させる方向の力（この力を倍力と称する。）を作用させる。このレバーの発する倍力により、リセプタクルコネクタとプラグコネクタとをより軽い力で挿抜できる。
【０００４】
【特許文献１】特開２００７−１８８６６３号公報
【発明の開示】
【発明が解決しようとする課題】
【０００５】
しかしながら、従来のようなレバーを備えたコネクタ組立体には、以下に示すような課題が存在する。
コネクタ組立体を、例えば自動車用電装品に用いる場合、常に小型化が要求される自動車用電装品と同様、コネクタ組立体についても小型化が要求されている。また、自動車の製造工程においては、自動車用電装品側に設けられたリセプタクルコネクタに、ワイヤーハーネスの先端部に設けられたプラグコネクタを接続する作業が行われる。この際、ワイヤーハーネスを、例えば自動車のエンジンルームと車室とを隔てる隔壁に形成された孔に挿通させるため、特にプラグコネクタは小型化が要求される。
上記特許文献１に記載の技術においては、レバー４が雄型コネクタ３を覆う形となっている。これではレバー４の厚みの分、雄型コネクタ３の短手方向の幅が大きくなってしまうことになる。しかし、レバー４が雄型コネクタ３を覆わず、雄型コネクタ３の短手方向の幅内に収まるように配置すると、雄コネクタハウジング３２ｄが障害となり、レバー４が雄型コネクタを覆うことができないので、これに伴ってレバー４も短くせざるを得ない。
しかし、このようにレバーを短くすると、レバーにより発生する倍力が小さくなり、リセプタクルコネクタへのプラグコネクタの挿抜力の低減効果が減じてしまう。近年、自動車用電装品は端子数の多極化が進んでおり、リセプタクルコネクタへのプラグコネクタの挿抜に必要な力は増大する傾向にある。したがって、リセプタクルコネクタへのプラグコネクタの挿抜力の低減効果の減少は、作業性の低下に繋がる場合がある。
【０００６】
なお、上記したようなレバーを備えるプラグコネクタにおいては、プラグハウジングに保持されたコンタクトに電線を予め接続しておく。そして、このプラグコネクタをリセプタクルコネクタに嵌合する。しかし、プラグコネクタに電線を接続した工程以降、プラグコネクタをリセプタクルコネクタに嵌合する工程までの間に、搬送中等に、電線がレバーとプラグハウジングとの間に挟み込まれてしまうことがある。電線がレバーとプラグハウジングとの間に挟み込まれると、プラグコネクタをリセプタクルコネクタに嵌合するに先立ち、挟み込まれた電線を作業者が取り外さなければならず、これに手間がかかり、生産効率の低下に繋がる。また、電線がレバーとプラグハウジングとの間に挟み込まれたまま、レバーに想定外の力が加えられた場合には、電線が断線してしまう可能性がある。
【０００７】
本発明は、このような技術的課題に基づいてなされたもので、リセプタクルコネクタとプラグコネクタとの嵌合を、容易かつ確実に行うことのできる電気コネクタ組立体を提供することを目的とする。
【課題を解決するための手段】
【０００８】
かかる目的のもとになされた本発明の電気コネクタは、ハウジングと、ハウジングに保持されるコンタクトと、ハウジングの一面側に設けられ、一端部がハウジングに支軸を介して回動自在に連結され、他端部に向けてハウジングの長手方向に沿って延びる延伸部を有したレバーと、を備え、レバーは、その他端部に、ハウジングの他面側に向けてハウジングに沿って突出する突出部が設けられるとともに、延伸部と突出部とが他端部を介して略Ｌ字状となっていることを特徴とする。
このようなレバーは、ハウジングの一端部から他端部に向けて延びるため、レバー長を稼ぐことができ、倍力を確保することができる。このようなレバーは、ハウジングを他のハウジングに嵌合させた状態で、ハウジングを収容するフードの内側において係合するものであっても良いし、フードの外側において係合するものであっても良い。
【０００９】
また、本発明は、電気コネクタ組立体であって、第一のハウジングと、第一のハウジングに嵌合する第二のハウジングと、第一のハウジングに保持される第一のコンタクトと、第二のハウジングに保持され、第一のコンタクトに接続される第二のコンタクトと、を備え、第一のハウジングは、第二のハウジングを受容する空間を形成するフードを備え、第二のハウジングの一面側に、フード内への第二のハウジングの挿入力を軽減するため、一端部が第二のハウジングに支軸を介して回動自在に連結され、他端部に向けて第二のハウジングの長手方向に沿って延びる延伸部を有したレバーを備え、レバーは、その他端部に、第二のハウジングの他面側に向けて突出する突出部が設けられるとともに、延伸部と突出部とが他端部を介して略Ｌ字状とされている。さらに、このレバーには、第二のハウジングを第一のハウジングのフード内に挿入した状態で、第二のハウジングの短手方向の一方の端部に、フードの内部においてレバーを第一のハウジングに係合する係合部が設けられていることを特徴とする。
【００１０】
ここで、係合部は、第二のハウジングの長手方向または短手方向に変形可能な変形片と、変形片に形成され、フードに係合される係合爪と、を備えることができる。
このような構成においては、係合部の係合爪がフードに係合されると、レバーがフード、すなわち第一のハウジングに係合され、第一のハウジングと第二のハウジングを嵌合状態にロックできる。また、係合部の変形片を、第二のハウジングの長手方向または短手方向に押圧して変形させることで、変形片に形成された係合爪がフードから離間する方向に変位し、フードとの係合を解除できる。
ただし、係合部は、レバーを第一のハウジングに係合することができるのであれば、他のいかなる構成としても良い。
【００１１】
第二のハウジングに保持された第二のコンタクトに接続される電線が、第二のハウジングの長手方向に沿って配索されている場合、第二のハウジングの長手方向に沿って配索される電線の側方に、フードに係合される係合爪を有した変形片を設けることで、電線の配索方向に影響されず、作業者は変形片を容易かつ確実に操作することができる。
【００１２】
第二のハウジングまたはレバーのいずれか一方に、第二のハウジングとレバーの間に電線が入り込むのを防止する凸部を設けるのが好ましい。
これにより、レバーと第二のハウジングの間に、電線等が不用意に入り込んでしまうのを防止できる。
【００１３】
さらには、凸部に、レバーを第二のハウジングに係合させるレバー係合部を設けるのが好ましい。これにより、第二のハウジングを第一のハウジングに挿入しない状態等において、レバーを第二のハウジングに仮固定することができる。
【００１４】
レバーは、係合部がフードに係合する状態と、レバー係合部が第二のハウジングに係合する状態とで、第二のハウジングに対する傾斜角度が互いに異なるようにするのが好ましい。すなわち、第二のハウジングを第一のハウジングに嵌合させたときに、係合部のみがフードに係合し、レバー係合部は、第二のハウジングと非係合状態とされるのが好ましい。第二のハウジングを第一のハウジングに嵌合させた状態で、係合部がフードに係合するだけでなく、レバー係合部までが第二のハウジングに係合されてしまうと、レバーを起こす場合等において、係合部による係合と、レバー係合部による係合とを同時に解除しなければならず、解除が困難になるからである。
また、レバー係合部が第二のハウジングに係合する状態においては、レバーが、係合部がフードに係合する状態よりもさらに倒れるようにすれば、レバー係合部が第二のハウジングに係合した状態では、レバーが干渉して第二のハウジングを第一のハウジングに完全に嵌合させることができなくなる。
【発明の効果】
【００１５】
本発明によれば、小型化されたコネクタであっても、レバーによる倍力を確保できる。
また、係合部において、第二のハウジングの長手方向に沿って配索される電線の側方に、フードに係合される係合爪を有した変形片を設けることで、電線の配索方向に影響されず、作業者は変形片を容易かつ確実に操作することが可能となる。これにより、整備性の低下を回避できる。
【００１６】
また、第二のハウジングまたはレバーのいずれか一方に、第二のハウジングとレバーの間に電線が入り込むのを防止する凸部を設けることで、レバーと第二のハウジングの間に、電線等が不用意に入り込んでしまうのを防止できる。これにより、作業性が低下するのを防止できる。
【００１７】
さらには、凸部に、レバーを第二のハウジングに係合させるレバー係合部を設ければ、第二のハウジングを第一のハウジングに挿入しない状態等において、レバーを第二のハウジングに仮固定することができる。これにより、第二のハウジングを第一のハウジングに嵌合するまでの間、レバーが折れたり、係合部と第一のハウジングとの隙間に電線等が挟み込まれるのを防止できる。
【００１８】
係合部がフードに係合する状態と、レバー係合部が第二のハウジングに係合する状態とで、レバーの第二のハウジングに対する傾斜角度が互いに異なるようにすれば、レバーを起こす場合等において、係合部による係合と、レバー係合部による係合とを同時に解除しなければならなくなるのを回避でき、係合部のフードに対する係合の解除を容易に行える。
【発明を実施するための最良の形態】
【００１９】
以下、添付図面に示す実施の形態に基づいてこの発明を詳細に説明する。
図１は、第一の実施の形態における電気コネクタ組立体を示す図であり、（ａ）は電気コネクタ組立体をレバーの一端側から見た斜視図、（ｂ）は電気コネクタ組立体をレバーの他端側から見た斜視図である。図２は、図１に示した電気コネクタ組立体において、プラグコネクタをリセプタクルコネクタに挿入させる直前の状態を示す図であり、（ａ）は電気コネクタ組立体をレバーの一端側から見た斜視図、（ｂ）は電気コネクタ組立体をレバーの他端側から見た斜視図である。図３は、（ａ）はプラグコネクタを示す斜視図、（ｂ）はプラグコネクタの中心線に沿った断面図（図４（ａ）のＡ−Ａ断面図）である。図４は、プラグコネクタのレバーを仮固定した状態を示す図であり、（ａ）はプラグコネクタの側面図、（ｂ）はプラグコネクタの正面図である。図５は、プラグコネクタのレバーを起こした状態を示す図であり、（ａ）はプラグコネクタの側面図、（ｂ）はプラグコネクタの正面図である。図６は、プラグコネクタをリセプタクルコネクタに嵌合させた状態を示す図であり、（ａ）は（ｂ）のＢ−Ｂ断面図、（ｂ）は正面図である。図７は、第二の実施の形態における電気コネクタ組立体をレバーの他端側から見た斜視図である。
【００２０】
〔第一の実施形態〕
図１および図２に示すように、コネクタ（電気コネクタ組立体）１０は、プリント配線板側に固定されるリセプタクルコネクタ（第一のコネクタ）２０と、このリセプタクルコネクタ２０に嵌合可能なプラグコネクタ（第二のコネクタ、電気コネクタ）３０とから構成される。
【００２１】
リセプタクルコネクタ２０は、樹脂製のリセプタクルハウジング（第一のハウジング）２１と、銅系材料等の導電性材料から形成されたコンタクト（第一のコンタクト：図示なし）とから構成される。
【００２２】
図２に示すように、リセプタクルハウジング２１には、複数のコンタクト（図示無し）を、互いに間隔を隔てて配列した状態で保持するコンタクト保持壁２３が設けられている。コンタクト保持壁２３の一面側には、プラグコネクタ３０が嵌合されるフード２６が設けられている。フード２６は、コンタクト保持壁２３から立ち上がる矩形筒状であり、その内側は、プラグコネクタ３０を挿入するための受容空間２７とされている。
【００２３】
コンタクト保持壁２３には、フード２６内において、複数のコンタクト（図示無し）を互いに間隔を隔てて配列された状態で保持するための挿通孔２３ａが貫通して形成されている。
【００２４】
図１に示したように、プラグコネクタ３０は、それぞれ、リセプタクルハウジング２１のフード２６に嵌合する樹脂製のプラグハウジング（第二のハウジング、ハウジング）３１と、銅合金等の導電性材料からなるコンタクト（第二のコンタクト）３３（図３（ｂ）参照）とから構成されている。
【００２５】
図２に示したように、プラグハウジング３１は、リセプタクルハウジング２１のフード２６に嵌め合う断面形状を有している。図１に示したように、プラグハウジング３１には、リセプタクルコネクタ２０の複数のコンタクト（図示無し）に対応して、複数のコンタクト保持孔３２が互いに間隔を隔てて形成されている。これらコンタクト保持孔３２のそれぞれにコンタクト３３が保持されている。
【００２６】
プラグハウジング３１の上面側に開口したコンタクト保持孔３２には、電線（図示無し）が挿入されている。この電線（図示無し）は、コンタクト保持孔３２内のコンタクト３３に電気的に接続されている。複数のコンタクト３３にそれぞれ接続された電線が束ねられたワイヤーハーネスは、リセプタクルコネクタ２０に対するプラグコネクタ３０の挿抜方向に直交し、かつプラグハウジング３１の長手方向（レバー４０の長手方向：図３（ｂ）において左右方向）に配索されている。
【００２７】
このようなプラグコネクタ３０は、プラグハウジング３１をリセプタクルハウジング２１のフード２６に挿入することでリセプタクルコネクタ２０に嵌合される。すると、プラグコネクタ３０側のコンタクト３３が、リセプタクルハウジング２１のフード２６内に位置するコンタクト（図示無し）に電気的に接続される。
【００２８】
プラグハウジング３１をリセプタクルハウジング２１に対して挿抜する時に必要な力を軽減するため、プラグハウジング３１の一面側には、レバー４０がその一端部４０ａ側を回動自在に支持されて設けられている。プラグハウジング３１をリセプタクルハウジング２１に対して挿抜する時には、レバー４０を回動させる。
また、レバー４０は、プラグハウジング３１をリセプタクルハウジング２１に係合する機能をも有する。レバー４０で、プラグハウジング３１をリセプタクルハウジング２１に係合するには、他端部４０ｂを押してレバー４０を倒し、他端部４０ｂをリセプタクルハウジング２１に係合させる。プラグコネクタ３０は、フード２６にプラグハウジング３１が挿入された状態で、レバー４０はフード２６の内側においてリセプタクルハウジング２１に係合される。
【００２９】
図２、図３（ａ）に示すように、レバー４０は、その一端部４０ａ側において、プラグハウジング３１の側面に設けられた支軸４１に回動自在に連結されている。支軸４１は、プラグハウジング３１の中心に対し、一端部４０ａ側にオフセットして設けられている。
【００３０】
レバー４０は、一端部４０ａから他端部４０ｂに向けて延びる延伸部４２を有している。延伸部４２は、レバー４０を倒して係合状態としたときに、プラグハウジング３１の両側の側面に沿うよう形成されている。図２、図４に示すように、レバー４０の延伸部４２において、プラグハウジング３１の両側の側面に沿う部分は薄板状のプレート部４２ｐにより形成されている。そして、延伸部４２は、プレート部４２ｐを補強するために、プレート部４２ｐの上端部に、トラス構造状の補強ビーム部４２ｂが一体に形成されている。
【００３１】
プレート部４２ｐにおいて、支軸４１よりもレバー４０の一端部４０ａ側に突出した位置に、レバー４０を回動させたときにその操作力をリセプタクルハウジング２１に伝達するためのカム突起５５が突出形成されている。
一方、リセプタクルハウジング２１のフード２６には、このカム突起５５をガイドするカム溝５６が形成されている。このカム溝５６は、フード２６の上端部から下方に向かって形成され、レバー４０を回動させるとカム突起５５がカム溝５６に沿って移動する。このとき、図２に示したように、レバー４０を起こした状態でプラグハウジング３１をリセプタクルハウジング２１のフード２６に挿入すると、カム突起５５がカム溝５６に入り込む。そして、レバー４０の他端部４０ｂを押してレバー４０を倒していくと、カム突起５５がカム溝５６に沿って変位する。このときに、レバー４０の他端部４０ｂに入力される操作力が、てこの原理により、カム突起５５とカム溝５６との間に作用し、これによってプラグハウジング３１がリセプタクルハウジング２１に挿抜される。したがって、カム溝５６は、プラグハウジング３１をリセプタクルハウジング２１に挿抜させるための倍力を発揮する適宜の形状に形成されている。
【００３２】
また、プレート部４２ｐの先端部には、支軸４１よりもレバー４０の一端部４０ａ側に突出した位置に、ストッパ部４４が形成されている。
図２（ａ）、図４（ａ）に示すように、プラグハウジング３１には、レバー４０を回動させたときに上下方向に移動するストッパ部４４が入り込むスリット４５が形成されている。スリット４５には、レバー４０を起こしていったときにストッパ部４４が当たってそれ以上の移動を規制するストッパ部４６が形成されている。また、スリット４５には、ストッパ部４４に形成された爪４４ａと係合するストッパ爪４７が形成されている。図５に示すように、ストッパ爪４７が爪４４ａに係合することで、レバー４０を、プラグハウジング３１から起き上がった状態に保持できる。レバー４０を倒すときには、爪４４ａは、ストッパ爪４７を乗り越えていく。
【００３３】
図２（ｂ）に示すように、レバー４０の他端部４０ｂには、下方（プラグハウジング３１の他面側）に向けて突出するブロック状の突出部６０が設けられている。これにより、レバー４０は、延伸部４２と突出部６０とが、他端部４０ｂを介して略Ｌ字状となっている。
突出部６０は、プラグハウジング３１をリセプタクルハウジング２１のフード２６に挿入し、さらに図１、図６に示すように、レバー４０を倒したときに、レバー４０をリセプタクルハウジング２１に係合させるものである。
図６（ａ）に示すように、突出部６０には、下端部６１ａがレバー４０に固定され、上端部６１ｂが上方に向けて延びる変形片（係合部）６１が設けられている。変形片６１は、突出部６０において、フード２６の短手方向の一方に臨んで形成されている。変形片６１は、可撓性を有した樹脂材料から形成されており、変形片６１の上端部６１ｂを押圧すると、板状あるいはビーム状のバネのように弾性変形し、下端部６１ａ側を中心として上端部６１ｂ側が、フード２６の短手方向に変位する。
変形片６１には、フード２６の内周面と対向する位置に、係合爪６３が設けられている。この係合爪６３は、変形片６１の前記の方向への変位により、フード２６の内周面に接近・離間する。
【００３４】
一方、リセプタクルハウジング２１のフード２６の内周面には、プラグコネクタ３０をフード２６に嵌合させたときに係合爪６３と対向する位置に、係合爪６３と係合する係合凹部６４が形成されている。
【００３５】
プラグハウジング３１をリセプタクルハウジング２１のフード２６に挿入し、さらにレバー４０を倒すと、変形片６１が弾性変形することで、突出部６０の係合爪６３がフード２６の係合凹部６４に係合する。これにより、レバー４０が倒された状態のままロックされ、プラグハウジング３１がリセプタクルハウジング２１のフード２６に嵌合された状態でロックされる。なおこの状態で、レバー４０は、補強ビーム部４２ｂが、プラグハウジング３１の上面３１ａに平行となる。
また、前記の変形片６１は、プラグハウジング３１をリセプタクルハウジング２１のフード２６に挿入し、レバー４０を倒した状態で押圧操作が可能となるよう、上端部６１ｂが、フード２６よりも上方に突出するよう形成されている。レバー４０のロックを解除するには、変形片６１の上端部６１ｂをフード２６の短手方向に押圧する。すると、変形片６１の上端部６１ｂ側がフード２６の内壁面から離間する方向に弾性変形し、突出部６０の係合爪６３とフード２６の係合凹部６４との係合を解除できるので、そのままレバー４０を起こせば良い。
【００３６】
図２（ｂ）に示したように、プラグハウジング３１において、レバー４０の他端部４０ｂ側の側面３１ｂには、上下方向に延びる突条部（凸部）７０が形成されている。突条部７０の幅方向中間部には、下端部がプラグハウジング３１に固定され、上端部が自由端とされた変形片７１が形成されている。変形片７１の上端部には、レバー４０の他端部４０ｂ側に向けて突出する係合突起（レバー係合部）７２が形成されている。
一方、図３（ｂ）に示したように、突出部６０において、プラグハウジング３１の側面３１ｂに対向する側に、係合突起７２と係合する係合段部７３が形成されている。
【００３７】
図３に示したように、プラグハウジング３１をリセプタクルハウジング２１のフード２６に挿入せず、単体のままの状態で、レバー４０を倒していくと、変形片７１が弾性変形することで、係合段部７３がプラグハウジング３１の係合突起７２を乗り越える。すると、変形片７１は弾性力により復元し、係合突起７２と係合段部７３とが互いに係合する。すると、レバー４０は、係合突起７２と係合段部７３との係合位置よりも上方に起こすことができず、プラグハウジング３１に仮係合される。
このとき、レバー４０は、プラグハウジング３１の上面３１ａに対し、一端部４０ａ側から他端部４０ｂ側に向けて徐々に低くなるよう傾斜して仮係合される。
レバー４０のプラグハウジング３１への仮係合を解除するには、変形片７１の上端部を、レバー４０の一端部４０ａ側に向けて押圧する。すると、変形片７１の上端部が弾性変形し、係合突起７２と係合段部７３との係合が解除されるので、そのままレバー４０を起こせば良い。
【００３８】
上述したような構成によれば、突出部６０の変形片６１は、プラグハウジング３１の長手方向に沿って配索される電線（ワイヤーハーネス）の側方に形成されている。これにより、変形片６１は、電線の側方に位置することになり、その操作が電線により妨げられることもない。したがって、作業者は変形片６１を容易かつ確実に操作して、レバー４０を起こし、プラグコネクタ３０をリセプタクルコネクタ２０から引き抜くことができる。
【００３９】
また、レバー４０を倒した状態のままプラグハウジング３１に仮固定することで、プラグコネクタ３０をリセプタクルコネクタ２０に嵌合するまでの間、レバー４０が折れたり、突出部６０とプラグハウジング３１との隙間に電線等が挟み込まれるのを防止できる。
さらに、レバー４０をプラグハウジング３１に仮固定した状態では、レバー４０は、リセプタクルハウジング２１に本固定した状態よりも、さらにプラグハウジング３１の下方に向けて押し込まれた状態である。したがって、このままの状態では、レバー４０がフード２６と干渉するので、プラグハウジング３１とリセプタクルハウジング２１とを完全に嵌合させることができず、誤挿入を防止できる。
【００４０】
加えて、プラグハウジング３１の側面３１ｂに突条部７０を形成することで、レバー４０を倒した状態では、レバー４０の突出部６０と、プラグハウジング３１との隙間を塞ぐことができ、ここに電線等が入り込むのを確実に防止できる。しかも、この突条部７０は、レバー４０をプラグハウジング３１に仮固定するための係合段部７３を有している。すなわち、突条部７０は、電線が入り込むのを防止するためと、レバー４０を仮固定するためとの、２つの機能を有することになる。
【００４１】
また、図１に示したように、プラグハウジング３１をリセプタクルハウジング２１に嵌合させ、レバー４０を倒して突出部６０によりリセプタクルハウジング２１に係合させた状態（以下、この状態を本固定と称することがある。）では、レバー４０は、プラグハウジング３１の上面３１ａに平行になる。一方、図４に示したように、レバー４０をプラグハウジング３１に仮固定した状態では、レバー４０は、プラグハウジング３１の上面３１ａに対し、さらに倒された状態とされ、一端部４０ａ側から他端部４０ｂ側に向けて補強ビーム部４２ｂが徐々に低くなるよう傾斜する。
リセプタクルハウジング２１を本固定した状態においては、係合突起７２と係合段部７３とは互いに係合していない。したがって、プラグコネクタ３０をリセプタクルコネクタ２０から引き抜くに際してレバー４０を本固定状態から起こすときには、変形片６１を弾性変形させて突出部６０の係合爪６３とフード２６の係合凹部６４との係合のみを解除すれば良く、容易かつ軽い操作力でレバー４０のリセプタクルハウジング２１への係合を解除できる。
【００４２】
〔第二の実施形態〕
次に、上記第一の実施形態の変形例を示す。なお、以下の説明において、本形態と上記第一の実施の形態との差異は、突出部６０の構成のみである。したがって、以下の説明においては、上記第一の実施の形態で示した構成と異なる点のみに言及し、上記第一の実施の形態と同様である他の構成については同符号を付してその説明を省略する。
図７に示すように、レバー４０の他端部４０ｂには、下方に向けて延びるブロック状の突出部６０が設けられている。突出部６０は、プラグハウジング３１をリセプタクルハウジング２１のフード２６に挿入し、さらにレバー４０を倒したときに、レバー４０をリセプタクルハウジング２１に係合させるものである。
突出部６０には、下端部６６ａがレバー４０に固定され、上端部６６ｂが上方に向けて延びる変形片（係合部）６６が設けられている。変形片６６は、突出部６０において、フード２６の短手方向の一方の側に設けられている。変形片６６は、可撓性を有した樹脂材料から形成されており、変形片６６の上端部６６ｂを押圧すると、板状あるいはビーム状のバネのように弾性変形し、下端部６６ａ側を中心として上端部６６ｂ側が、フード２６の長手方向に変位する。
変形片６６には、フード２６の内周面と対向する位置に、係合爪６７が設けられている。この係合爪６７は、変形片６６の前記の方向への変位により、フード２６の内周面に接近・離間する。
【００４３】
一方、リセプタクルハウジング２１のフード２６の内周面には、上記第一の実施の形態と同様、プラグコネクタ３０をフード２６に嵌合させたときに係合爪６７と対向する位置に、係合爪６７と係合する係合凹部（図示無し）が形成されている。
【００４４】
プラグハウジング３１をリセプタクルハウジング２１のフード２６に挿入し、さらにレバー４０を倒すと、変形片６６が弾性変形することで、突出部６０の係合爪６７がフード２６の係合凹部（図示無し）に係合する。これにより、レバー４０が倒された状態のままロックされ、プラグハウジング３１がリセプタクルハウジング２１のフード２６に嵌合された状態でロックされる。
また、前記の変形片６６は、プラグハウジング３１をリセプタクルハウジング２１のフード２６に挿入し、レバー４０を倒した状態で押圧操作が可能となるよう、上端部６６ｂが、フード２６よりも上方に突出するよう形成されている。レバー４０のロックを解除するには、変形片６６の上端部６６ｂをフード２６の長手方向に沿って、レバー４０の一端部４０ａ側に向けて押圧する。すると、変形片６６の上端部６６ｂ側がフード２６の内壁面から離間する方向に弾性変形し、突出部６０の係合爪６７とフード２６の係合凹部（図示無し）との係合を解除できるので、そのままレバー４０を起こせば良い。
【００４５】
このようなレバー４０においても、上記第一の実施の形態と同様、プラグハウジング３１において、レバー４０の他端部４０ｂ側の側面３１ｂに、突条部７０が形成され、突出部６０において、プラグハウジング３１の側面３１ｂに対向する側に、係合突起７２と係合する係合段部７３が形成されている。
【００４６】
上述したような構成においても、突出部６０の変形片６６は、電線の側方に位置するよう設けられている。これにより、プラグハウジング３１に保持されたコンタクトに電気的に接続される電線が、プラグハウジング３１のリセプタクルハウジング２１に対する挿抜方向に直交し、かつレバー４０が延びる方向に延在している場合であっても、変形片６６の操作が電線により妨げられることもない。したがって、作業者は変形片６６を容易かつ確実に操作して、レバー４０を起こし、プラグコネクタ３０をリセプタクルコネクタ２０から引き抜くことができる。
【００４７】
また、レバー４０を倒した状態のままプラグハウジング３１に仮固定することで、プラグコネクタ３０をリセプタクルコネクタ２０に嵌合するまでの間、レバー４０が折れたり、突出部６０とプラグハウジング３１との隙間に電線等が挟み込まれるのを防止できる。
さらに、レバー４０をプラグハウジング３１に仮固定した状態では、レバー４０がフード２６と干渉するので、プラグハウジング３１とリセプタクルハウジング２１とを完全に嵌合させることができず、誤挿入を防止できる。
加えて、プラグハウジング３１の側面３１ｂに突条部７０を形成することで、レバー４０の突出部６０とプラグハウジング３１との隙間に電線等が入り込むのを確実に防止できる。
また、リセプタクルハウジング２１を本固定した状態においては、係合突起７２と係合段部７３とは互いに係合せず、この状態からレバー４０を起こすときには、容易かつ軽い操作力でレバー４０のリセプタクルハウジング２１への係合を解除できる。
【００４８】
なお、上記実施の形態で示した構成は一例に過ぎず、具体的な構造等は、上記実施の形態で示した以外に変更することが可能である。
また、突出部６０は、係合爪６３、６７を有した変形片６１、６６を有する構成としたが、これに限るものではない。突出部６０は、公知の他の係合方法を適宜採用して適用することができる。
これ以外にも、本発明の主旨を逸脱しない限り、上記実施の形態で挙げた構成を取捨選択したり、他の構成に適宜変更することが可能である。
【図面の簡単な説明】
【００４９】
【図１】第一の実施の形態における電気コネクタ組立体を示す図であり、（ａ）は電気コネクタ組立体をレバーの一端側から見た斜視図、（ｂ）は電気コネクタ組立体をレバーの他端側から見た斜視図である。
【図２】図１に示した電気コネクタ組立体において、プラグコネクタをリセプタクルコネクタに挿入させる直前の状態を示す図であり、（ａ）は電気コネクタ組立体をレバーの一端側から見た斜視図、（ｂ）は電気コネクタ組立体をレバーの他端側から見た斜視図である。
【図３】（ａ）はプラグコネクタを示す斜視図、（ｂ）はプラグコネクタの中心線に沿った断面図（図４（ａ）のＡ−Ａ断面図）である。
【図４】プラグコネクタのレバーを仮固定した状態を示す図であり、（ａ）はプラグコネクタの側面図、（ｂ）はプラグコネクタの正面図である。
【図５】プラグコネクタのレバーを起こした状態を示す図であり、（ａ）はプラグコネクタの側面図、（ｂ）はプラグコネクタの正面図である。
【図６】プラグコネクタをリセプタクルコネクタに嵌合させた状態を示す図であり、（ａ）は（ｂ）のＢ−Ｂ断面図、（ｂ）は正面図である。
【図７】第二の実施の形態における電気コネクタ組立体をレバーの他端側から見た斜視図である。
【符号の説明】
【００５０】
１０…コネクタ（電気コネクタ組立体）、２０…リセプタクルコネクタ（第一のコネクタ）、２１…リセプタクルハウジング（第一のハウジング）、２６…フード、３０…プラグコネクタ（第二のコネクタ、電気コネクタ）、３１…プラグハウジング（第二のハウジング、ハウジング）、３３…コンタクト（第二のコンタクト）、４０…レバー、４０ａ…一端部、４０ｂ…他端部、４１…支軸、５５…カム突起、５６…カム溝、６０…突出部、６１、６６…変形片（係合部）、６３、６７…係合爪、６４…係合凹部、７０…突条部（凸部）、７１…変形片、７２…係合突起（レバー係合部）、７３…係合段部
【図１】
2010123395.tif 000003
【図２】
2010123395.tif 000004
【図３】
2010123395.tif 000005
【図４】
2010123395.tif 000006
【図５】
2010123395.tif 000007
【図６】
2010123395.tif 000008
【図７】
2010123395.tif 000009